(57)【要約】【課題】  振幅の大きい入力信号がボイスコイルに印加された場合であっても、異音を生じる等の不良が生じにくく、好ましい音声再生が可能な薄型化もしくは小型化されたスピーカーを提供する。【解決手段】  本発明のスピーカー用ダンパーは、フレームと接合する外周固定部と、ボイスコイルボビンと接合する内周固定部と、外周固定部と内周固定部とを連結する支持アーム部とを備え、支持アーム部が、外周固定部と外周側で連結し、外周固定部が規定する第１平面と同一平面上に位置する第１アーム部と、内周固定部と内周側で連結し、内周固定部が規定する第１平面と異なる第２平面と同一平面上に位置する第２アーム部と、第１アーム部の内周側と第２アーム部の外周側とを連結するアーム連結部と、を備える。【選択図】  図１
2006229288.tif 000002
【特許請求の範囲】
【請求項１】
フレームと接合する外周固定部と、ボイスコイルボビンと接合する内周固定部と、該外周固定部と該内周固定部とを連結する支持アーム部とを備え、
該支持アーム部が、
該外周固定部と外周側で連結し、該外周固定部が規定する第１平面上に位置する第１アーム部と、
該内周固定部と内周側で連結し、該第１平面と異なる該内周固定部が規定する第２平面上に位置する第２アーム部と、
該第１アーム部の内周側と該第２アーム部の外周側とを連結するアーム連結部と、
を備える、スピーカー用ダンパー。
【請求項２】
前記第１アーム部が、該外周固定部を構成する材料と同一の材料から構成され、
前記第２アーム部および前記アーム連結部が、前記内周固定部と同一の材料から構成され、
前記第２アーム部の材料の硬度が、前記第１アーム部の材料の硬度よりも大きい、請求項１に記載のスピーカー用ダンパー。
【請求項３】
前記外周固定部および前記第１アーム部を構成する材料が、熱可塑性エラストマーであり、
前記内周固定部および前記第２アーム部および前記アーム連結部を構成する材料が、熱可塑性樹脂である、
請求項２に記載のスピーカー用ダンパー。
【請求項４】
フレームと、磁気回路と、請求項１から３のいずれかに記載のスピーカー用ダンパーとを備えたスピーカーであって、
該フレームが、該スピーカー用ダンパーの前記外周固定部が固定されるダンパー台部と、該磁気回路と連結するフレーム内周部と、該フレーム内周部と該ダンパー台部とを連結するフレーム連結部を備え、
該フレーム内周部の外径直径と、該磁気回路の外径直径とが、それぞれ前記スピーカー用ダンパーの前記アーム連結部を規定する直径よりも小さく設定された、
スピーカー。
【請求項５】
前記フレームのフレーム内周部と、前記スピーカー用ダンパーの第２アーム部との距離ｄ２が、該フレームのフレーム連結部と、該スピーカー用ダンパーの第１アーム部との距離ｄ１よりも短く設定された、
請求項４に記載のスピーカー。
【発明の詳細な説明】
【技術分野】
【０００１】
本発明は、音響再生のためのスピーカーに用いるダンパー、及びこれを用いたスピーカーに関する。
【背景技術】
【０００２】
スピーカーは、特に動電型スピーカーにおいては、振動板及びボイスコイルボビンを含む振動系を所定位置に中心保持し、かつ、良好に振動可能にするために、ダンパーが設けられる。ダンパーは、その内周部がボイスコイルボビンに接合され、その外周部がフレーム又は磁気回路等に接合されて固定され、内周部と外周部とを連結する支持可動部とを備える。ダンパーの支持可動部の形状および材料などについては、様々な検討がなされている。
【０００３】
従来から、スピーカーを備える電気電子機器の小型化に伴い、振動板もしくはフレームの最前部と磁気回路の最後部とで規定されるスピーカー全高が薄い薄型スピーカーもしくは小型スピーカーが要望されている。薄型スピーカーでは、振動系の振動可能範囲が制限されるので、振幅の大きい入力信号がボイスコイルに印加された時に振動系が大きく振動する結果、振動系の一部がフレーム又は磁気回路に当たって異音を生じ易くなるという問題がある。また、エッジを備える振動板を含む振動系では、振動系の薄型化により、エッジとダンパーとの距離が短くなる結果、振動系がローリングして、ダンパーの支持可動部がフレーム又は磁気回路等に接触して異音を生じる等の不良が生じやすくなるという問題がある。
【０００４】
従来には、薄型化もしくは小型化により生じる上記のような問題を、スピーカー用ダンパーの形状、材料等の構成を検討し、解決しようとするものがある。例えば、スピーカー用ダンパーを熱成形した樹脂フィルムにより構成したものがある（特許文献１）。また、例えば、同心円状のコルゲーションを備えたスピーカー用ダンパーにおいて、ダンパーの半径方向のほぼ中間より外側の外側部位を、中間より内側の内側部位よりも段差Dだけ低くするものがある（特許文献２）。
【０００５】
【特許文献１】特開平１０−５１８９４号公報  （第１図、第２図）
【特許文献２】実公平４−２７２７６号公報  （第１図、第２図）
【０００６】
しかしながら、従来技術のスピーカー用ダンパーおよびこれを用いたスピーカーでは、薄型化および小型化の問題と、振動系における異音発生の問題とを、両立させるには不十分な点がある。すなわち、スピーカー全体の再生音質に好ましい影響を与えるように、スピーカー用ダンパーは、振幅の小さい入力信号でもボイスコイルを含む振動系を直線性がよい状態で中心保持し、かつ、振幅の大きい入力信号でも、振動系がフレーム又は磁気回路に接触することのないように支持しなければならない。
【発明の開示】
【発明が解決しようとする課題】
【０００７】
本発明は、上記の従来技術が有する問題を解決するためになされたものであり、その目的は、スピーカー用ダンパー及びこれを用いたスピーカーに関し、振幅の大きい入力信号がボイスコイルに印加された場合であっても、異音を生じる等の不良が生じにくく、好ましい音声再生が可能な薄型化もしくは小型化されたスピーカーを提供することにある。
【課題を解決するための手段】
【０００８】
本発明のスピーカー用ダンパーは、フレームと接合する外周固定部と、ボイスコイルボビンと接合する内周固定部と、外周固定部と内周固定部とを連結する支持アーム部とを備え、支持アーム部が、外周固定部と外周側で連結し、外周固定部が規定する第１平面上に位置する第１アーム部と、内周固定部と内周側で連結し、第１平面と異なる内周固定部が規定する第２平面上に位置する第２アーム部と、第１アーム部の内周側と第２アーム部の外周側とを連結するアーム連結部と、を備える。
【０００９】
好ましくは、本発明のスピーカー用ダンパーは、第１アーム部が、外周固定部を構成する材料と同一の材料から構成され、第２アーム部およびアーム連結部が、内周固定部と同一の材料から構成され、第２アーム部の材料の硬度が、第１アーム部の材料の硬度よりも大きい。
【００１０】
さらに好ましくは、本発明のスピーカー用ダンパーは、外周固定部および第１アーム部を構成する材料が、熱可塑性エラストマーであり、内周固定部および第２アーム部およびアーム連結部を構成する材料が、熱可塑性樹脂である。
【００１１】
また、本発明のスピーカーは、フレームと、磁気回路と、上記の本発明のスピーカー用ダンパーとを備えたスピーカーであって、フレームが、スピーカー用ダンパーの外周固定部が固定されるダンパー台部と、磁気回路と連結するフレーム内周部と、フレーム内周部とダンパー台部とを連結するフレーム連結部を備え、フレーム内周部の外径直径と、磁気回路の外径直径とが、それぞれスピーカー用ダンパーのアーム連結部を規定する直径よりも小さく設定される。
【００１２】
また、さらに好ましくは、本発明のスピーカーは、フレームのフレーム内周部と、スピーカー用ダンパーの第２アーム部との距離ｄ２が、フレームのフレーム連結部と、スピーカー用ダンパーの第１アーム部との距離ｄ１よりも短く設定される。
【００１３】
以下、本発明の作用について説明する。
【００１４】
本発明のスピーカー用ダンパーは、フレームと接合する外周固定部と、ボイスコイルボビンと接合する内周固定部と、外周固定部と内周固定部とを連結する支持アーム部とを備える。外周固定部および内周固定部は、実質的にフレームないしボイスコイルボビンと接合されて固定されており、これらを連結する支持アーム部によって、振動板及びボイスコイルボビンを含む振動系が所定位置に中心保持される。また、支持アーム部が、ボイスコイルで生じた駆動力が加わって変形することにより、振動系は振動可能となる。
【００１５】
ここで、支持アーム部は、外周固定部と外周側で連結し、外周固定部が規定する第１平面上に位置する第１アーム部と、内周固定部と内周側で連結し、第１平面と異なる内周固定部が規定する第２平面上に位置する第２アーム部と、第１平面上の第１アーム部の内周側と第２平面上の第２アーム部の外周側とを連結するアーム連結部と、を備える。つまり、支持アーム部は、外周側の第１アーム部と、内周側の第２アーム部と、これらを連結するアーム連結部とから構成されており、このアーム連結部は、第１平面および第２平面とほぼ直角に交わる立上がり部として構成されている。第１平面と第２平面との段差、すなわち、アーム連結部の高さは、第１アーム部が第２アーム部よりも低くなるように設定され、全体としてスピーカー用ダンパーは、外周側が低く磁気回路側に位置し、アーム連結部が立ち上がり、内周側が高く振動板側に位置する階段状の形状を備える。
【００１６】
好ましくは、第１アーム部は、外周固定部を構成する材料と同一の材料から構成され、第２アーム部およびアーム連結部は、内周固定部と同一の材料から構成される。ここで、第２アーム部の材料の硬度は、第１アーム部の材料の硬度よりも大きい。つまり、内周側の第２アーム部およびアーム連結部は固くて、加わる駆動力によって変形しにくく、一方で、外周側の第１アーム部はそれらより軟らかくて、加わる駆動力によって変形しやすい。このように支持アーム部の外周側と内周側で段差を設け、かつ、外周側と内周側で支持アームの変形量を変えることにより、薄型スピーカーで振動系の振幅設計に余裕がない場合であっても、振動系のダンパーがフレーム又は磁気回路に接触しないようにできて、その結果、異音の発生を低減することができる。なお、アーム部の材料の硬度とは、材料の塑性変形に対する抵抗の大きさを表す硬さであり、硬さ数や、アーム部の曲げ弾性率で代用されてもよい。
【００１７】
具体的には、外周固定部および第１アーム部を構成する材料が、熱可塑性エラストマーであり、内周固定部および第２アーム部およびアーム連結部を構成する材料が、熱可塑性樹脂であるのが好ましい。熱可塑性エラストマーおよび熱可塑性樹脂によるいわゆる二色成形によってスピーカー用ダンパーは一体に構成され、かつ、内周側の第２アーム部およびアーム連結部を固く、そして外周側の第１アーム部を軟らかく設定することができ、それらの形状も、硬度も、自由に設計及び調整可能だからである。したがって、本発明のスピーカー用ダンパーを用いたスピーカーは、好ましい音声再生が可能な薄型化もしくは小型化されたスピーカーとなる。
【００１８】
また、本発明のスピーカー用ダンパーに対応して、スピーカーの磁気回路は、その外径直径が、スピーカー用ダンパーのアーム連結部を規定する直径よりも小さく設定され、かつ、スピーカーのフレームは、磁気回路と連結するフレーム内周部と、スピーカー用ダンパーの外周固定部が固定されるダンパー台部と、フレーム内周部とダンパー台部とを連結するフレーム連結部を備え、フレーム連結部がスピーカー用ダンパーに対応した形状を有する。さらに好ましくは、フレームのフレーム内周部と、スピーカー用ダンパーの第２アーム部との距離ｄ２が、フレームのフレーム連結部と、スピーカー用ダンパーの第１アーム部との距離ｄ１よりも短く設定される。
【００１９】
すなわち、スピーカー用ダンパーのアーム連結部が立ち上がった階段状の形状と、内周側の第２アーム部およびアーム連結部を固く、そして外周側の第１アーム部を軟らかくする硬度の設定により、内周側の第２アーム部が磁気回路ならびにフレームのフレーム内周部に、外周側の第１アーム部がフレームのフレーム連結部に接触しにくくすることができる。支持アームの変形量の大きい外周側の第１アーム部では、フレーム連結部をこれに対応して大きな振幅まで対応可能に距離ｄ１を離隔させ、かつ、支持アームの変形量の小さい内周側の第２アーム部およびアーム連結部は、変形量が少ないことから、磁気回路ならびにフレーム内周部との距離ｄ２を距離ｄ１よりも短くすることができるからである。その結果、本発明のスピーカー用ダンパーを用いたスピーカーは、異音を生じる等の不良が生じにくく、好ましい音声再生が可能な薄型化もしくは小型化されたスピーカーが実現される。
【発明の効果】
【００２０】
本発明のスピーカー用ダンパーを用いたスピーカーは、振幅の大きい入力信号がボイスコイルに印加された場合であっても、異音を生じる等の不良が生じにくく、好ましい音声再生が可能となり、全体として薄型化もしくは小型化されたスピーカーを実現できる。
【発明を実施するための最良の形態】
【００２１】
本発明のスピーカー用ダンパーは、振幅の大きい入力信号がボイスコイルに印加された場合であっても、異音を生じる等の不良が生じにくく、好ましい音声再生が可能な薄型化もしくは小型化されたスピーカーを提供するという目的を、フレームと接合する外周固定部と、ボイスコイルボビンと接合する内周固定部と、外周部と内周部とを連結する支持アーム部とを備え、支持アーム部が、外周固定部と外周側で連結し、外周固定部が規定する第１平面上に位置する第１アーム部と、内周固定部と内周側で連結し、第１平面と異なる内周固定部が規定する第２平面上に位置する第２アーム部と、第１平面上の第１アーム部の内周側と第２平面上の第２アーム部の外周側とを連結するアーム連結部と、を備えるようにすることにより、実現した。
【００２２】
以下、本発明の好ましい実施形態によるスピーカー用ダンパーおよびこれを用いたスピーカーについて説明するが、本発明はこれらの実施形態には限定されない。
【実施例１】
【００２３】
図１は、本発明の好ましい実施形態によるスピーカー用ダンパー１０について説明する図であり、図１（ａ）は平面図、図１（ｂ）はＳｅｃ．Ａ−Ａ’の断面図である。本実施例のスピーカー用ダンパー１０は、後述する長辺と短辺の寸法が異なる平面型振動板を備える薄型スピーカー１に適するように設計されており、点Ａ−Ａ’が規定する平面型振動板の長辺方向に長く、短辺方向に短い形状になっている。具体的には、ダンパー１０は、外周固定部１１と、内周固定部１２と、外周固定部１１と内周固定部１２とを連結する支持アーム部１３とを備え、支持アーム部１３は、第１アーム部１４と、第２アーム部１５と、第１アーム部１４の内周側と第２アーム部１５の外周側とを連結するアーム連結部１６とから構成されている。
【００２４】
図２は、スピーカー用ダンパー１０を用いた本発明の好ましい実施形態によるスピーカー１について説明する図であり、図２（ａ）は平面図、図２（ｂ）はＳｅｃ．Ａ−Ａ’の断面図である。スピーカー１は、点Ａ−Ａ’が規定する長辺方向に長く、短辺方向に短いトラック型平面振動板５を備え、トラック型平面振動板５は、その外周端をエッジ６により支持され、エッジ６の外周側はフレーム２の外周部に固定される。また、トラック型平面振動板５は、その内周裏面において略円筒形のボイスコイルボビン３が固着され、ボイスコイルボビン３にはボイスコイル４が巻線されている。ボイスコイル４は、プレート７、ポール８およびマグネット９より構成される磁気回路の磁気空隙に配置され、磁気回路は、フレーム２の内周部に固定される。
【００２５】
一般には、スピーカーの全高は、振動板の形状、ボイスコイルボビンを含む振動系の許容振動範囲、および磁気回路の高さ、等により規定される。ここで、本実施例のスピーカー１の全高Hは、エッジ６の最もロールが高い位置と、磁気回路のポール８の後端部との距離によって規定され、薄型化もしくは小型化を図ったスピーカーとしては、全高Hが短いほど好ましい。もちろん、全高Hは、トラック型平面振動板５の最前面もしくは振動板の保護のためにフレーム２の外周部に設けられる矢紙（図示しない）や、磁気回路のポール裏面に配置されるキャンセルマグネット（図示しない）により規定されてもよい。
【００２６】
スピーカー１において、スピーカー用ダンパー１０は、外周側の外周固定部１１でフレーム２と、内周側の内周固定部１２でボイスコイルボビン３と固定され、トラック型平面振動板５及びボイスコイルボビン３を含む振動系を磁気回路の磁気空隙の所定位置に中心保持する。具体的には、スピーカー用ダンパー１０は、静止状態においてボイスコイル４がプレート７およびポール８が規定する磁気空隙に配置されるように、製造治具および接着剤等を用いてフレーム２およびボイスコイルボビン３と接着固定される。磁気回路の磁気空隙に配置されたボイスコイル４に音声電流が印加された場合には、ボイスコイル４に駆動力が生じ、外周固定部１１と、内周側の内周固定部１２とは、それぞれフレーム２と、ボイスコイルボビン３とに接着固定されているので、これらを連結する支持アーム部１３が駆動力によって変形する。その結果、スピーカー１の振動系は振動可能となる。
【００２７】
スピーカー１は、長辺方向と短辺方向を備えるトラック型であるので、短辺方向にはダンパー１０の支持アーム部１３を延長することは困難である。本実施例のスピーカー用ダンパー１０は、長辺方向にのみ支持アーム部１３が形成され、２本で一組のアームが２組、合計４本のアームが設けられている。支持アーム部１３は、外周固定部１１が規定する第１平面Ｐ１と同一平面上に位置する第１アーム部１４と、内周固定部１２が規定する第２平面Ｐ２と同一平面上に位置する第２アーム部１５と、第１アーム部１４の内周側と第２アーム部１５とを連結するアーム連結部１６と、を備える。ここで、第２平面Ｐ２は、第１平面Ｐ１と異なる平面上に位置し、第１平面Ｐ１と第２平面Ｐ２との距離はＤである。したがって、アーム連結部１６は二つの平面Ｐ１およびＰ２を連結する段差Ｄを構成する。つまり、第１アーム部１４が第２アーム部１５よりも段差Ｄだけ低く設定され、全体としてスピーカー用ダンパー１０は、外周側の第１アーム部１４が低く、アーム連結部１６が立ち上がり、内周側の第２アーム部１５が高い、階段状の形状である。
【００２８】
スピーカー用ダンパー１０は、熱可塑性エラストマーもしくは熱可塑性樹脂によるいわゆる二色成形によって構成されている。二色成形法により支持アーム部１３の形状も硬度も自由に設計及び調整可能であり、支持アーム部１３のうち第１アーム部１４と第２アーム部１５の材料の硬度を別途変えることができる。具体的には、図１（ｂ）における範囲ｍａ（外周固定部１１および第１アーム部１４）を構成する材料が熱可塑性エラストマーであり、図１（ｂ）における範囲ｍｂ（内周固定部１２および第２アーム部１５およびアーム連結部１６）を構成する材料が、熱可塑性樹脂である。代表的には、熱可塑性エラストマーは、熱可塑性ポリエーテルエステルエラストマー（商品名：ハイトレル、等）であり、熱可塑性樹脂は、ＡＢＳ、ＰＣ、もしくはＡＢＳ＋ＰＣである。二色成形法では、ダンパーの金型において、範囲ｍａおよびｍｂのそれぞれに射出成型用のゲートを設け、それぞれのゲートから溶融した熱可塑性エラストマーおよび熱可塑性樹脂を金型に射出し、その後冷却してから金型から取り出すことにより、スピーカー用ダンパー１０は形成される。
【００２９】
好ましくは、外周側の第１アーム部１４を軟らかく、そして内周側の第２アーム部１５およびアーム連結部１６を固く設定する。例えば、熱可塑性エラストマーの硬度は、曲げ弾性率で好ましくは１００〜６００ＭＰａであり、また、熱可塑性樹脂の硬度は、曲げ弾性率で好ましくは２０００〜２６００ＭＰａである。これらの材料の硬度は、好ましくは１：３．３〜１：２６．０の間であればよい。したがって、振動系が振動して支持アーム１３が変形する際に、外周側の第１アーム部１４の変形量が大きく、内周側の第２アーム部１５の変形量が小さくなる。つまり、外周側の第１アーム部１４は、軟らかくて、加わる駆動力によって変形しやすく、一方で、内周側の第２アーム部１５および段差Ｄを含むアーム連結部１６は固くて、加わる駆動力によって変形しにくい。
【００３０】
第１アーム部１４の内周側と第２アーム部１５の外周側とを連結するアーム連結部１６は、第１平面Ｐ１および第２平面Ｐ２とほぼ直角に交わる立上がり部として構成されている。ここで、円周方向におけるアーム連結部１６の位置を規定する直径φＤは、プレート７、ポール８およびマグネット９より構成される磁気回路の最大直径として規定されるφＭよりも大きく設定される。すなわち、全体としてスピーカー用ダンパー１０は、外周側の第１アーム部１４が低く、アーム連結部１６が立ち上がり、内周側の第２アーム部１５が高い、いわば階段状の形状となり、アーム連結部１６の段差Ｄの内周側部分に規定される空間に磁気回路の一部を収容することができる。したがって、薄型のスピーカーを実現できる。
【００３１】
スピーカー用ダンパー１０において第１平面Ｐ１と第２平面Ｐ２との距離が段差Ｄであることから、スピーカー１における外周固定部１１と内周固定部１２との振動方向の距離も段差Ｄに等しい。また、段差Ｄを備える階段状の形状により、ボイスコイルボビン３と内周固定部１２との接着固定点に対する磁気回路（後述するフレーム２の内周固定部２ｂを含む）との距離ｄ２を長くすることができる。その結果、振動系と磁気回路の接触による異音の発生が防がれる。さらに、第２アーム部１５は固くて加わる駆動力によって変形しにくいので、上記の距離ｄ２を短く設計することが可能となり、振動系の振幅設計に余裕がない場合であっても薄型化が可能となる。
【００３２】
スピーカー１のフレーム２は、スピーカー用ダンパー１０の外周固定部１１が固定されるダンパー台部２ａと、磁気回路と連結するフレーム内周部２ｂと、ダンパー台部２ａとフレーム内周部２ｂとを連結しスピーカー用ダンパー１０の段差を備える階段形状に対応した形状のフレーム連結部２ｃを備える。なお、ダンパー台部２ａは、スピーカー用ダンパー１０の外周固定部１１が規定する第１平面Ｐ１の延長面上に規定される。また、フレーム内周部２ｂはプレート７と連結しているが、第１平面Ｐ１の延長面上に規定されていても、平面Ｐ１以外の平面上に規定されていてもよい。フレーム２は、内周側よりも段差Ｄだけ低く設定された外周側の第１アーム部１４およびアーム連結部１６が接触しないように、フレーム連結部２ｃが段差ｄ１を備える。また、フレーム連結部２ｃの段差ｄ１が設けられる半径方向の範囲は、ダンパー台部２ａを規定する直径φＦよりも小さく、かつ、磁気回路の直径φＭよりも大きければよい。その結果、軟らかくて、加わる駆動力によって変形しやすい第１アーム部１４が振動してもフレーム２に接触しないので、スピーカー１は、異音を生じる等の不良が生じにくくなり、好ましい音声再生が可能となる。
【００３３】
ダンパー台部２ａとフレーム連結部２ｃとにより規定される段差ｄ１は、振幅の大きい入力信号がボイスコイルに印加された時に振動系が大きく振動しても振動系の一部が接触しない距離であればよいが、好ましくは、スピーカー用ダンパー１０の段差Ｄと同程度の距離であればよい。また、段差ｄ１は、ボイスコイルボビン３と内周固定部１２との接着固定点から磁気回路（フレーム２の内周固定部２ｂを含む）までの距離ｄ２よりも長く設定されるのが好ましい。つまり、フレーム２のフレーム内周部２ｂと、スピーカー用ダンパー１０の第２アーム部１５との距離ｄ２が、フレーム２のフレーム連結部２ｃと、スピーカー用ダンパー１０の第１アーム部１４との距離ｄ１よりも短く設定される。スピーカー用ダンパー１０の内周固定部１２および第２アーム部１５は、硬度の大きい固い熱可塑性樹脂から構成されるので、振動による変形は少なく、その結果、上記距離ｄ２は、ほぼ振動系が振動可能な許容振幅距離に等しくなる。したがって、段差ｄ１よりも距離ｄ２を短く設定しても、固くて駆動力によって変形しにくい第２アーム部１５が振動しフレーム内周部２ｂと接触することがなく、異音を生じにくくすることができ、同時にスピーカー１の薄型化を図ることができる。
【００３４】
本発明のスピーカー用ダンパー１０は、上記実施例に限定されず、支持アーム部１３が円周方向に連続した平面であってもよく、また、コルゲーションが設けられている平面部材であってもよい。全体としてスピーカー用ダンパー１０は、外周側の第１アーム部１４が低く、アーム連結部１６が立ち上がり、かつ、内周側の第２アーム部１５が高い階段状の形状を備え、第２アーム部１５を構成する材料の硬度が、第１アーム部１４を構成する材料の硬度よりも高くされていればよい。本実施例では、アーム連結部１６は、硬度の高い第２アーム部１５と同一の材料から構成されているが、第１アーム部１４を構成する材料で構成してもよい。
【００３５】
また、本発明のスピーカー１は、上記実施例に限定されない。磁気回路は、本実施例のスピーカー１で図示された外磁型磁気回路に限定されるものではなく、内磁型磁気回路でもよく、反発型磁気回路でもよい。また、振動板５は、トラック型平面振動板に限られず、円形やコーン型振動板でもよい。フレーム２は、プレス加工による鉄板もしくはアルミ板フレームでもよく、また、射出成形による樹脂フレームであってもよい。フレームの２磁気回路と連結するフレーム内周部２ｂは、磁気回路のいずれかの部位と連結されていればよく、プレート７に限られない。
【産業上の利用可能性】
【００３６】
本発明のスピーカー用ダンパーは、家庭用のステレオ再生、もしくはマルチチャンネルサラウンド再生に用いられるスピーカーに限られず、携帯用電子機器や、車載用のオーディオ機器に使用されるスピーカーにも適用が可能である。
【図面の簡単な説明】
【００３７】
【図１】本発明の好ましい実施形態によるスピーカー用ダンパーについて説明する図である。（実施例１）
【図２】本発明の好ましい実施形態によるスピーカーについて説明する図である。（実施例１）
【符号の説明】
【００３８】
１            スピーカー
２            フレーム
３            ボイスコイルボビン
４            ボイスコイル
５            トラック型平面振動板
６            エッジ
７            プレート
８            ポール
９            マグネット
１０          スピーカー用ダンパー
１１          外周固定部
１２          内周固定部
１３          支持アーム部
１４          第１アーム部
１５          第２アーム部
１６          アーム連結部
【図１】
2006229288.tif 000003
【図２】
2006229288.tif 000004